【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
表示部に出力されるページに含まれたコンテンツを分類するステップと、
前記コンテンツの分類に基づいてコンテンツの間の区分が可能な一定索引を割り当てる割当ステップと、
前記割り当てられた索引を前記ページに対応するスクロールバー領域に配置する配置ステップと、
前記索引が配置されたスクロールバー領域を含んだ複合スクロールバーを出力する出力ステップと、
を含むことを特徴とする、ページ検索方法。
【請求項２】
前記ページの出力要請を受信する受信ステップをさらに含み、
前記受信ステップは、
特定サーバページ接続に従うサーバページの出力要請を受信するステップと、
特定文書ファイル活性化に従う文書ページの出力要請を受信するステップのうち、何れか１つを含むことを特徴とする、請求項１に記載のページ検索方法。
【請求項３】
前記割当ステップは、
コンテンツの種類別区分が可能な形態及び色相を有する索引を各コンテンツ種類別に割り当てるステップと、
各コンテンツのサムネイルイメージを索引として割り当てるステップと、
各コンテンツ種類区分が可能であるように文字や数字が記入されたイメージを索引として割り当てるステップのうち、少なくとも１つを含むことを特徴とする、請求項１に記載のページ検索方法。
【請求項４】
前記割当ステップは、
前記ページに含まれた特定コンテンツ種類を除外した残りのコンテンツに対して種類別索引を割り当てることを特徴とする、請求項１に記載のページ検索方法。
【請求項５】
前記配置ステップは、
前記コンテンツに該当する前記索引を前記ページに対応するスクロールバー領域に配置し、且つ前記コンテンツのページ内での位置に対応するスクロールバー領域の特定位置に前記索引を配置することを特徴とする、請求項１に記載のページ検索方法。
【請求項６】
前記スクロールバー領域に配置された索引が予め定義された一定間隔以内に配置される場合、一定間隔以内に配置された索引を統合して統合索引として割り当てるステップをさらに含むことを特徴とする、請求項５に記載のページ検索方法。
【請求項７】
前記統合索引を含む複合スクロールバーを出力するステップをさらに含み、前記統合索引の選択時、統合索引に含まれた索引が一定間隔離隔配置された付加スクロール領域を出力するステップをさらに含むことを特徴とする、請求項６に記載のページ検索方法。
【請求項８】
前記付加スクロール領域を出力するステップは、
前記付加スクロール領域に含まれた索引を該当コンテンツに対応するサムネイルイメージに取り替えて出力することを特徴とする、請求項７に記載のページ検索方法。
【請求項９】
前記付加スクロール領域の拡張又は縮小のためのイベントを受信するステップと、
前記イベントの受信によって前記付加スクロール領域のサイズを拡張又は縮小するステップと、
をさらに含むことを特徴とする、請求項７に記載のページ検索方法。
【請求項１０】
前記付加スクロール領域の変更時、前記変更された付加スクロール領域のサイズによって他の形態の索引に出力するステップをさらに含むことを特徴とする、請求項９に記載のページ検索方法。
【請求項１１】
前記付加スクロール領域を出力するステップは、
前記付加スクロール領域に含まれた索引の羅列方向を前記複合スクロールバーと並んでいる方向に出力するステップと、
前記付加スクロール領域に含まれた索引の羅列方向を前記複合スクロールバーの配置方向と異なる角度の方向に出力するステップと、
前記付加スクロール領域を前記複合スクロールバー領域の全体を覆うように配置するステップのうち、何れか１つを含むことを特徴とする、請求項７に記載のページ検索方法。
【請求項１２】
前記統合索引に含まれた索引の個数情報を出力するステップをさらに含むことを特徴とする、請求項６に記載のページ検索方法。
【請求項１３】
横モード又は縦モードの変更時、前記スクロールバー領域の表示長さを変更するステップと、
前記変更された長さに対応して索引の位置を調整するステップと、
をさらに含むことを特徴とする、請求項５に記載のページ検索方法。
【請求項１４】
前記位置の調整によって前記スクロールバー領域に配置された索引の間隔が予め定義された一定間隔以内に変更される場合、一定間隔以内に配置された索引を統合して統合索引として割り当てるステップと、
前記位置の調整によって前記スクロールバー領域に配置された索引の間隔が予め定義された一定間隔以上に変更される場合、統合索引として割り当てられた索引を分割して各々配置するステップのうち、何れか１つのステップをさらに含むことを特徴とする、請求項１３に記載のページ検索方法。
【請求項１５】
一定コンテンツを含むページ及び前記ページに含まれたコンテンツの種類別索引が含まれた複合スクロールバーを出力する表示部と、
前記表示部に出力されるページに含まれたコンテンツを分類し、前記コンテンツの分類に基づいてコンテンツの間の区分が可能な一定索引を割り当てて、前記割り当てられた索引を前記ページに対応するスクロールバー領域に配置した複合スクロールバーを前記表示部に出力するようにサポートする制御部と、
を含むことを特徴とする、ページ検索をサポートする端末機。
【請求項１６】
特定サーバページ接続に従うサーバページの出力要請を受信する通信部と、
文書ページファイルを格納する格納部のうち、少なくとも１つをさらに含むことを特徴とする、請求項１５に記載のページ検索をサポートする端末機。
【請求項１７】
前記制御部は、
コンテンツの種類別区分が可能な形態及び色相を有する索引を各コンテンツ種類別に割り当てたり、各コンテンツのサムネイルイメージを索引として割り当てたり、各コンテンツ種類区分が可能であるように文字や数字が記入されたイメージを索引として割り当てたりすることを特徴とする、請求項１５に記載のページ検索をサポートする端末機。
【請求項１８】
前記制御部は、
前記ページに含まれた特定コンテンツ種類を除外した残りのコンテンツに対して種類別索引を割り当てることを特徴とする、請求項１５に記載のページ検索をサポートする端末機。
【請求項１９】
前記制御部は、
前記索引がスクロールバー領域の上で予め定義された一定間隔以内に配置される場合、一定間隔以内に配置された索引を統合して統合索引として割り当てることを特徴とする、請求項１５に記載のページ検索をサポートする端末機。
【請求項２０】
前記表示部は、
横モード又は縦モードの変更時、前記スクロールバー領域の表示長さを変更して表示し、前記変更された長さに対応して索引の位置を調整して出力することを特徴とする、請求項１５に記載のページ検索をサポートする端末機。
【請求項２１】
前記表示部は、
前記複合スクロールバーで複数個の索引が一回のタッチにより選択される場合、選択された複数個の索引が一定間隔離隔するように配置された付加スクロール領域を出力することを特徴とする、請求項１５に記載のページ検索をサポートする端末機。
【請求項２２】
前記表示部は、
特定ページ領域の閲覧のうち、前記複合スクロールバーから特定地点を選択する場合、前記特定地点に該当するページ領域を表示部に出力する一方、前記特定地点の選択の以前、前記特定ページ領域に対応する複合スクロールバー領域に以前地点標識を出力することを特徴とする、請求項１５に記載のページ検索をサポートする端末機。
【請求項２３】
前記表示部は、
特定ページ領域の閲覧のうち、前記複合スクロールバーから特定地点を選択する場合、前記特定地点に該当するページ領域を出力し、前記特定地点の選択が解除される場合、前記特定地点の選択の以前、前記特定ページ領域を表示することを特徴とする、請求項１５に記載のページ検索をサポートする端末機。
【請求項２４】
前記表示部は、
複数個の分割領域を含むページ出力時、
複数個の分割領域の各々に対する複合スクロールバーを各分割領域に出力したり、複数個の分割領域のうち、選択された特定分割領域に該当複合スクロールバーを出力したり、複数個の分割領域のうち、任意の特定分割領域のための前記複合スクロールバーを出力し、以後、特定分割領域選択のための入力信号発生によって指定された分割領域の複合スクロールバーを出力することを特徴とする、請求項１５に記載のページ検索をサポートする端末機。
【請求項２５】
ページに含まれたコンテンツのサムネイルイメージを受信する通信部をさらに含み、
前記制御部は、
前記サムネイルイメージを分類し、前記分類されたサムネイルイメージに索引を割り当てることを特徴とする、請求項１５に記載のページ検索をサポートする端末機。
【請求項２６】
前記制御部は、
前記サムネイルイメージのうち、予め定義された特定コンテンツ種類のサムネイルイメージを索引割当から除外させることを特徴とする、請求項２５に記載のページ検索をサポートする端末機。
【請求項２７】
前記制御部は、
前記ページの出力時、前記複合スクロールバーを同時出力するように制御したり、前記ページの出力後、前記複合スクロールバーの出力が要請される場合、出力するように制御したり、前記ページの出力後、複合スクロールバーが提供される領域が選択される場合、前記複合スクロールバーを出力するように制御することを特徴とする、請求項１５に記載のページ検索をサポートする端末機。